【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
一対の基板間に液晶が挟持され、前記一対の基板の一方の基板には、マトリクス状に配置された走査信号線及び画像信号線と、該走査信号線及び該画像信号線の交差に対応して配置されたアクティブ素子と、該アクティブ素子に接続された画素電極と、共通電極とが配置され、前記画素電極と前記共通電極の間の液晶に実質的に基板面と平行な電界が印加できるように構成される液晶装置において、
前記一方の基板と対向する他方の基板の対向面側には前記液晶を駆動するための電極が形成されておらず、前記他方の基板の対向面側には金属遮光膜を有するカラーフィルタが形成されてなり、前記金属遮光膜には、前記共通電極と同電位、前記画像信号線に供給される画像信号の中心電位、前記走査信号線に印加される走査信号の非選択電位、該液晶装置を駆動する駆動手段のロジック電位のいずれかの一定電位が印加されていることを特徴とする液晶装置。
【請求項２】
一対の基板間に液晶が挟持され、前記一対の基板の一方の基板には、走査信号又は画像信号を供給する信号線と、該信号線に電気的に接続されたアクティブ素子と、電極間に生じる電界によって前記液晶を駆動する一対の電極が形成され、前記一対の電極のうち一方の電極は前記アクティブ素子に接続されるとともに、前記一対の電極は絶縁層を介して異なる層に配置される液晶装置において、
前記一方の基板と対向する他方の基板の対向面側には前記液晶を駆動するための電極が形成されておらず、前記他方の基板の対向面側には金属遮光膜を有するカラーフィルタが形成されてなり、前記金属遮光膜には、前記一対の電極のうち他方の電極と同電位、前記信号線に供給される前記画像信号の中心電位、前記信号線に供給される前記走査信号の非選択電位、該液晶装置を駆動する駆動手段のロジック電位のいずれかの一定電位が印加されていることを特徴とする液晶装置。
【請求項３】
一対の基板間に液晶が挟持され、前記一対の基板の一方の基板には、マトリクス状に配置された走査信号線及び画像信号線と、該走査信号線及び画像信号線の交差に対応して配置されたアクティブ素子と、該アクティブ素子に接続された画素電極と、共通電極とが配置され、前記画素電極と前記共通電極の間の液晶に実質的に基板面と平行な電界が印加できるように構成される液晶装置において、
前記一方の基板と対向する他方の基板の対向面側には前記液晶を駆動するための電極が形成されておらず、前記他方の基板には、前記共通電極と同電位、前記画像信号線に供給される画像信号の中心電位、前記走査信号線に印加される走査信号の非選択電位、該液晶装置を駆動する駆動手段のロジック電位のいずれかの一定電位が印加された導電膜が形成されていることを特徴とする液晶装置。
【請求項４】
一対の基板間に液晶が挟持され、前記一対の基板の一方の基板には、走査信号又は画像信号を供給する信号線と、該信号線に電気的に接続されたアクティブ素子と、電極間に生じる電界によって前記液晶を駆動する一対の電極が形成され、前記一対の電極のうち一方の電極は前記アクティブ素子に接続されるとともに、前記一対の電極は絶縁層を介して異なる層に配置される液晶装置において、
前記一方の基板と対向する他方の前記基板の対向面側には前記液晶を駆動するための電極が形成されておらず、前記他方の基板には、前記一対の電極のうち他方の電極と同電位、前記信号線に供給される前記画像信号の中心電位、前記信号線に供給される前記走査信号の非選択電位、該液晶装置を駆動する駆動手段のロジック電位のいずれかの一定電位が印加された導電膜が形成されていることを特徴とする液晶装置。
【請求項５】
一対の基板間に液晶が挟持され、前記一対の基板の一方の基板には、走査信号又は画像信号を供給する信号線と、該信号線に電気的に接続されたアクティブ素子と、電極間に生じる電界によって前記液晶を駆動する一対の電極が形成され、前記一対の電極のうち一方の電極は前記アクティブ素子に接続されるとともに、前記一対の電極は絶縁層を介して異なる層に配置される液晶装置において、
前記一方の基板と対向する他方の基板の対向面側には金属遮光膜を有するカラーフィルタが形成されているとともに、該カラーフィルタの前記液晶側には該液晶を駆動するための電極が形成されておらず、前記金属遮光膜には前記一対の基板間を電気的に接続する銀ペースト又は異方性導電膜を介して前記一方の基板側から一定電位が印加されていることを特徴とする液晶装置。
【請求項６】
前記金属遮光膜には、前記一対の電極のうち他方の電極と同電位、前記信号線に供給される前記画像信号の中心電位、前記信号線に供給される前記走査信号の非選択電位、該液晶装置を駆動する駆動手段のロジック電位のいずれかの一定電位が印加されていることを特徴とする請求項５に記載の液晶装置。
【請求項７】
前記金属遮光膜は、前記液晶が駆動される画素エリアの周辺部で前記共通電極と電気的に接続されていることを特徴とする請求項１に記載の液晶装置。
【請求項８】
前記金属遮光膜は、前記液晶が駆動される画素エリアの周辺部で前記一対の電極のうち他方の電極と電気的に接続されていることを特徴とする請求項２又は５に記載の液晶装置。
【請求項９】
前記導電膜は、前記液晶が駆動される画素エリアの周辺部で前記共通電極と電気的に接続されていることを特徴とする請求項３に記載の液晶装置。
【請求項１０】
前記導電膜は、前記液晶が駆動される画素エリアの周辺部で前記一対の電極のうち他方の電極と電気的に接続されていることを特徴とする請求項４に記載の液晶装置。
【請求項１１】
一対の基板間に液晶が挟持され、前記一対の基板の一方の基板には、走査信号又は画像信号を供給する信号線と、該信号線に電気的に接続されたアクティブ素子と、電極間に生じる電界によって前記液晶を駆動する一対の電極が形成され、前記一対の電極のうち一方の電極は前記アクティブ素子に接続されるとともに、前記一対の電極は絶縁層を介して異なる層に配置される液晶装置において、
前記一方の基板と対向する他方の基板の対向面側には前記液晶を駆動するための電極が形成されておらず、前記他方の基板の前記液晶が駆動される画素エリアの周辺部に導電膜が形成されてなり、当該導電膜には前記一対の基板間を電気的に接続する銀ペースト又は異方性導電膜を介して前記一方の基板側から一定電位が印加されていることを特徴とする液晶装置。
【請求項１２】
前記導電膜には、前記一対の電極のうち他方の電極と同電位、前記信号線に供給される前記画像信号の中心電位、前記信号線に供給される前記走査信号の非選択電位、該液晶装置を駆動する駆動手段のロジック電位のいずれかの一定電位が印加されていることを特徴とする請求項１１に記載の液晶装置。
【請求項１３】
一対の基板間に液晶が挟持され、前記一対の基板の一方の基板には、走査信号又は画像信号を供給する信号線と、該信号線に電気的に接続されたアクティブ素子と、電極間に生じる電界によって前記液晶を駆動する一対の電極が形成され、前記一対の電極のうち一方の電極は前記アクティブ素子に接続されるとともに、前記一対の電極は絶縁層を介して異なる層に配置される液晶装置において、
前記一方の基板と対向する他方の基板の対向面には前記液晶を駆動するための電極が形成されておらず、前記他方の基板の外面上に透明導電膜が形成されてなり、当該透明導電膜には、前記一対の電極のうち他方の電極と同電位、前記信号線に供給される前記画像信号の中心電位、前記信号線に供給される前記走査信号の非選択電位、該液晶装置を駆動する駆動手段のロジック電位のいずれかの一定電位が印加されていることを特徴とする液晶装置。
【請求項１４】
一対の基板間に液晶が挟持され、前記一対の基板の一方の基板には、走査信号又は画像信号を供給する信号線と、該信号線に電気的に接続されたアクティブ素子と、電極間に生じる電界によって前記液晶を駆動する一対の電極が形成され、前記一対の電極のうち一方の電極は前記アクティブ素子に接続されるとともに、前記一対の電極は絶縁層を介して異なる層に配置される液晶装置において、
前記一方の基板と対向する他方の基板の対向面には前記液晶を駆動するための電極が形成されておらず、前記他方の基板の外面上に導電性を有する偏光板が配置されてなり、当該偏光板には、前記一対の電極のうち他方の電極と同電位、前記信号線に供給される前記画像信号の中心電位、前記信号線に供給される前記走査信号の非選択電位、該液晶装置を駆動する駆動手段のロジック電位のいずれかの一定電位が印加されていることを特徴とする液晶装置。
【請求項１５】
一対の基板間に液晶が挟持され、前記一対の基板の一方の基板には、走査信号又は画像信号を供給する信号線と、該信号線に電気的に接続されたアクティブ素子と、電極間に生じる電界によって前記液晶を駆動する一対の電極が形成され、前記一対の電極のうち一方の電極は前記アクティブ素子に接続されるとともに、前記一対の電極は絶縁層を介して異なる層に配置される液晶装置において、
前記一方の基板と対向する他方の基板の内面側には導電膜が形成されてなり、該導電膜には前記一対の基板間を電気的に接続する銀ペースト又は異方性導電膜を介して前記一方の基板側から一定電位が印加されていることを特徴とする液晶装置。
【請求項１６】
前記導電膜は、前記一対の基板間で電気的に接続する銀ペースト又は異方性導電膜を介して前記一方の基板に配置された前記一対の電極のうち他方の電極に電気的に接続されてなり、前記一定電位は該他方の電極と同電位とされていることを特徴とする請求項１５記載の液晶装置。
【請求項１７】
前記一対の基板間での電気的な接続は複数の箇所でなされていることを特徴とする請求項１５又は１６に記載の液晶装置。
【請求項１８】
前記一方の基板側にはバックライト光源が配置されていることを特徴とする請求項１乃至１７のいずれか１項に記載の液晶装置。
【請求項１９】
請求項１乃至１８のいずれかに記載の液晶装置を用いたことを特徴とする電子機器。
【手続補正２】
【補正対象書類名】明細書
【補正対象項目名】０００７
【補正方法】変更
【補正の内容】
【０００７】
次に、電界４１５を印加すると、図４（ｂ）（ｄ）に示すように液晶分子４０５は電界４１５方向にその長軸を揃えようとするので、液晶分子４０５は印加電界の強度に対応して偏光板の吸収軸に対してある角度を持つようになる。この印加電界の強度に応じ、液晶セルの配向する角度を制御することにより液晶の複屈折が制御できる。それにより、一対の偏光板を透過する光透過率を制御でき、それにより階調表示を行うことができる。
〔発明の開示〕
【手続補正３】
【補正対象書類名】明細書
【補正対象項目名】０００９
【補正方法】変更
【補正の内容】
【０００９】
そこで、本発明は静電気の影響を受けにくくさらに静電気に帯電しにくい高画質な液晶装置を実現することを目的とする。
〔課題を解決するための手段〕
【手続補正４】
【補正対象書類名】明細書
【補正対象項目名】００１０
【補正方法】変更
【補正の内容】
【００１０】
本発明は、一対の基板間に液晶が挟持され、前記一対の基板の一方の基板には、マトリクス状に配置された走査信号線及び画像信号線と、該走査信号線及び該画像信号線の交差に対応して配置されたアクティブ素子と、該アクティブ素子に接続された画素電極と、共通電極とが配置され、前記画素電極と前記共通電極の間の液晶に実質的に基板面と平行な電界が印加できるように構成される液晶装置において、前記一方の基板と対向する他方の基板の対向面側には前記液晶を駆動するための電極が形成されておらず、前記他方の基板の対向面側には金属遮光膜を有するカラーフィルタが形成されてなり、前記金属遮光膜には、前記共通電極と同電位、前記画像信号線に供給される画像信号の中心電位、前記走査信号線に印加される走査信号の非選択電位、該液晶装置を駆動する駆動手段のロジック電位のいずれかの一定電位が印加されていることを特徴とする。
また、本発明は、一対の基板間に液晶が挟持され、前記一対の基板の一方の基板には、走査信号又は画像信号を供給する信号線と、該信号線に電気的に接続されたアクティブ素子と、電極間に生じる電界によって前記液晶を駆動する一対の電極が形成され、前記一対の電極のうち一方の電極は前記アクティブ素子に接続されるとともに、前記一対の電極は絶縁層を介して異なる層に配置される液晶装置において、前記一方の基板と対向する他方の基板の対向面側には前記液晶を駆動するための電極が形成されておらず、前記他方の基板の対向面側には金属遮光膜を有するカラーフィルタが形成されてなり、前記金属遮光膜には、前記一対の電極のうち他方の電極と同電位、前記信号線に供給される前記画像信号の中心電位、前記信号線に供給される前記走査信号の非選択電位、該液晶装置を駆動する駆動手段のロジック電位のいずれかの一定電位が印加されていることを特徴とする。
また、本発明は、前記金属遮光膜は、前記液晶が駆動される画素エリアの周辺部で前記共通電極と電気的に接続されていることを特徴とする。
【手続補正５】
【補正対象書類名】明細書
【補正対象項目名】００１２
【補正方法】変更
【補正の内容】
【００１２】
また、本発明は、一対の基板間に液晶が挟持され、前記一対の基板の一方の基板には、マトリクス状に配置された走査信号線及び画像信号線と、該走査信号線及び画像信号線の交差に対応して配置されたアクティブ素子と、該アクティブ素子に接続された画素電極と、共通電極とが配置され、前記画素電極と前記共通電極の間の液晶に実質的に基板面と平行な電界が印加できるように構成される液晶装置において、前記一方の基板と対向する他方の基板の対向面側には前記液晶を駆動するための電極が形成されておらず、前記他方の基板には、前記共通電極と同電位、前記画像信号線に供給される画像信号の中心電位、前記走査信号線に印加される走査信号の非選択電位、該液晶装置を駆動する駆動手段のロジック電位のいずれかの一定電位が印加された導電膜が形成されていることを特徴とする。
また、本発明は、一対の基板間に液晶が挟持され、前記一対の基板の一方の基板には、走査信号又は画像信号を供給する信号線と、該信号線に電気的に接続されたアクティブ素子と、電極間に生じる電界によって前記液晶を駆動する一対の電極が形成され、前記一対の電極のうち一方の電極は前記アクティブ素子に接続されるとともに、前記一対の電極は絶縁層を介して異なる層に配置される液晶装置において、前記一方の基板と対向する他方の前記基板の対向面側には前記液晶を駆動するための電極が形成されておらず、前記他方の基板には、前記一対の電極のうち他方の電極と同電位、前記信号線に供給される前記画像信号の中心電位、前記信号線に供給される前記走査信号の非選択電位、該液晶装置を駆動する駆動手段のロジック電位のいずれかの一定電位が印加された導電膜が形成されていることを特徴とする。
また、本発明は、一対の基板間に液晶が挟持され、前記一対の基板の一方の基板には、走査信号又は画像信号を供給する信号線と、該信号線に電気的に接続されたアクティブ素子と、電極間に生じる電界によって前記液晶を駆動する一対の電極が形成され、前記一対の電極のうち一方の電極は前記アクティブ素子に接続されるとともに、前記一対の電極は絶縁層を介して異なる層に配置される液晶装置において、前記一方の基板と対向する他方の基板の対向面側には金属遮光膜を有するカラーフィルタが形成されているとともに、該カラーフィルタの前記液晶側には該液晶を駆動するための電極が形成されておらず、前記金属遮光膜には前記一対の基板間を電気的に接続する銀ペースト又は異方性導電膜を介して前記一方の基板側から一定電位が印加されていることを特徴とする。
また、本発明は、上記において、前記金属遮光膜には、前記一対の電極のうち他方の電極と同電位、前記信号線に供給される前記画像信号の中心電位、前記信号線に供給される前記走査信号の非選択電位、該液晶装置を駆動する駆動手段のロジック電位のいずれかの一定電位が印加されていることを特徴とする。
また、本発明は、上記において、前記金属遮光膜は、前記液晶が駆動される画素エリアの周辺部で前記共通電極と電気的に接続されていることを特徴とする。
また、本発明は、上記において、前記金属遮光膜は、前記液晶が駆動される画素エリアの周辺部で前記一対の電極のうち他方の電極と電気的に接続されていることを特徴とする。
また、本発明は、上記において、前記導電膜は、前記液晶が駆動される画素エリアの周辺部で前記共通電極と電気的に接続されていることを特徴とする。
また,本発明は、上記において、前記導電膜は、前記液晶が駆動される画素エリアの周辺部で前記一対の電極のうち他方の電極と電気的に接続されていることを特徴とする。
また、本発明は、一対の基板間に液晶が挟持され、前記一対の基板の一方の基板には、走査信号又は画像信号を供給する信号線と、該信号線に電気的に接続されたアクティブ素子と、電極間に生じる電界によって前記液晶を駆動する一対の電極が形成され、前記一対の電極のうち一方の電極は前記アクティブ素子に接続されるとともに、前記一対の電極は絶縁層を介して異なる層に配置される液晶装置において、前記一方の基板と対向する他方の基板の対向面側には前記液晶を駆動するための電極が形成されておらず、前記他方の基板の前記液晶が駆動される画素エリアの周辺部に導電膜が形成されてなり、当該導電膜には前記一対の基板間を電気的に接続する銀ペースト又は異方性導電膜を介して前記一方の基板側から一定電位が印加されていることを特徴とする。
また、本発明は、上記において、前記導電膜には、前記一対の電極のうち他方の電極と同電位、前記信号線に供給される前記画像信号の中心電位、前記信号線に供給される前記走査信号の非選択電位、該液晶装置を駆動する駆動手段のロジック電位のいずれかの一定電位が印加されていることを特徴とする。
また、本発明は、一対の基板間に液晶が挟持され、前記一対の基板の一方の基板には、走査信号又は画像信号を供給する信号線と、該信号線に電気的に接続されたアクティブ素子と、電極間に生じる電界によって前記液晶を駆動する一対の電極が形成され、前記一対の電極のうち一方の電極は前記アクティブ素子に接続されるとともに、前記一対の電極は絶縁層を介して異なる層に配置される液晶装置において、前記一方の基板と対向する他方の基板の対向面には前記液晶を駆動するための電極が形成されておらず、前記他方の基板の外面上に透明導電膜が形成されてなり、当該透明導電膜には、前記一対の電極のうち他方の電極と同電位、前記信号線に供給される前記画像信号の中心電位、前記信号線に供給される前記走査信号の非選択電位、該液晶装置を駆動する駆動手段のロジック電位のいずれかの一定電位が印加されていることを特徴とする。
また、本発明は、一対の基板間に液晶が挟持され、前記一対の基板の一方の基板には、走査信号又は画像信号を供給する信号線と、該信号線に電気的に接続されたアクティブ素子と、電極間に生じる電界によって前記液晶を駆動する一対の電極が形成され、前記一対の電極のうち一方の電極は前記アクティブ素子に接続されるとともに、前記一対の電極は絶縁層を介して異なる層に配置される液晶装置において、前記一方の基板と対向する他方の基板の対向面には前記液晶を駆動するための電極が形成されておらず、前記他方の基板の外面上に導電性を有する偏光板が配置されてなり、当該偏光板には、前記一対の電極のうち他方の電極と同電位、前記信号線に供給される前記画像信号の中心電位、前記信号線に供給される前記走査信号の非選択電位、該液晶装置を駆動する駆動手段のロジック電位のいずれかの一定電位が印加されていることを特徴とする。
また、本発明は、一対の基板間に液晶が挟持され、前記一対の基板の一方の基板には、走査信号又は画像信号を供給する信号線と、該信号線に電気的に接続されたアクティブ素子と、電極間に生じる電界によって前記液晶を駆動する一対の電極が形成され、前記一対の電極のうち一方の電極は前記アクティブ素子に接続されるとともに、前記一対の電極は絶縁層を介して異なる層に配置される液晶装置において、前記一方の基板と対向する他方の基板の内面側には導電膜が形成されてなり、該導電膜には前記一対の基板間を電気的に接続する銀ペースト又は異方性導電膜を介して前記一方の基板側から一定電位が印加されていることを特徴とする。
また、本発明は、上記において、前記導電膜は、前記一対の基板間で電気的に接続する銀ペースト又は異方性導電膜を介して前記一方の基板に配置された前記一対の電極のうち他方の電極に電気的に接続されてなり、前記一定電位は該他方の電極と同電位とされていることを特徴とする。
また、本発明は、上記において、前記一対の基板間での電気的な接続は複数の箇所でなされていることを特徴とする。
【手続補正６】
【補正対象書類名】明細書
【補正対象項目名】００１５
【補正方法】削除
【補正の内容】